(57)【要約】【課題】高気圧・高濃度酸素カプセルの開閉部における空気漏れを確実に防止することができる、高気圧・高濃度酸素カプセル用空気漏れ防止具を得る。【解決手段】外部ファスナーの底面部及び内部ファスナーの上面部を包囲すべく長尺輪状に形成した外側チューブ体と、前記外部ファスナーの底面部及び内部ファスナーの上面部を押圧すべく長尺状に形成した内側チューブ体を前記外側チューブ体の内側面に独立形成して構成し、又は外部ファスナーの底面部及び内部ファスナーの上面部を包囲且つ押圧すべく長円平板状に形成した平チューブ体と、該平チューブ体に空気を注入して形成される空気室を平板状に維持する合成発泡樹脂体を当該平チューブ体内に支持形成して構成し、高気圧・高濃度酸素カプセルの上部内側に設けられた仕切りシート上において外部ファスナーの底面部及び内部ファスナーの上面部を包囲且つ押圧可能な位置に着脱自在に係着する。【選択図】図３
0003125417.tif 000002
【実用新案登録請求の範囲】
【請求項１】
空気を注入して膨張させることができるチューブ体を外部ファスナーの底面部及び内部ファスナーの上面部を包囲することができるように長尺輪状に形成した外側チューブ体と、前記外部ファスナーの底面部及び内部ファスナーの上面部を押圧することができるように長尺状に形成した内側チューブ体を前記外側チューブ体の内側面に独立形成して構成することを特徴とした、高気圧・高濃度酸素カプセル用空気漏れ防止具。
【請求項２】
空気を注入して膨張させることができるチューブ体を外部ファスナーの底面部及び内部ファスナーの上面部を包囲且つ押圧することができるように長円平板状に形成した平チューブ体と、該平チューブ体に空気を注入して形成される空気室を平板状に維持するための合成発泡樹脂体を当該平チューブ体内に支持形成して構成することを特徴とした、高気圧・高濃度酸素カプセル用空気漏れ防止具。
【請求項３】
高気圧・高濃度酸素カプセル用空気漏れ防止具を、高気圧・高濃度酸素カプセルの上部内側に設けられた仕切りシート上において外部ファスナーの底面部及び内部ファスナーの上面部を包囲且つ押圧することができる位置に着脱自在に係着することができることを特徴とした、請求項１又は請求項２に記載の高気圧・高濃度酸素カプセル用空気漏れ防止具。
【考案の詳細な説明】
【技術分野】
【０００１】  本考案は、空気中の酸素濃度及び気圧を高めたカプセル空間内でくつろぐことにより心身のリラクゼーション効果，疲労回復，ダイエット効果，美容等の数々の効果を得ることができる高気圧・高濃度酸素カプセルに関し、特に該高気圧・高濃度酸素カプセルの開閉部における空気漏れを防止するための防止具に関するものである。
【背景技術】
【０００２】  従来、医療において心筋梗塞や老人性痴呆症等の患者を治療する方法として高圧酸素法がある。該方法は、チャンバと呼ばれるカプセル内に高酸素濃度の空気を１．２気圧程度に注入して加圧し、該チャンバ内に前記患者を１時間程度入れて高圧酸素により治療を行うものである。該高圧酸素治療の公報例として、特開平５−１０３７６５号公報の「高気圧酸素治療装置」では、チャンバ内に心筋梗塞の患者を入れ、酸素又は空気供給装置からの加圧ガスを供与することにより治療を行うと共に血圧測定を行う方法が開示され、特開平８−１５４９８２号公報の「高圧酸素治療装置」では、チャンバ内に老人性痴呆症等の患者を入れ、ヘリウムと酸素を主成分とする混合ガスを高圧と低圧とに交互に切換えて供与することにより治療を行う方法が開示されている。【０００３】  なお、上記高圧酸素治療とは、空気中の酸素濃度を通常の２０．９％より高い３０〜３５％程度にし、気圧を通常の１気圧より高い１．２気圧程度にしたチャンバ内に１時間程度入ることにより、結合型酸素として血液中のヘモグロビンと結合する酸素の量や溶解型酸素として皮膚を透して直接血液や体液に溶け込む酸素の量を増やし、これら２種類の酸素量の増加により体の隅々まで酸素を行き渡らせて細胞を活性化させることにより健康を回復させるものである。【０００４】  上記公報に記載されている高圧酸素治療装置は医療用であるため、チャンバ，空気供給装置，加圧ポンプ，圧力制御装置，バルブ等から構成される高圧酸素治療装置は非常に高価であり、病院以外で使用することはなかった。しかしながら、上記チャンバをナイロンや塩化ビニル素材でカプセル状に形成し、空気供給装置，加圧ポンプ，圧力制御装置，バルブ等を一体化した濃縮酸素供給器とすることにより製品コストが安価となり、近年においては心身のリラクゼーション効果，疲労回復，ダイエット効果，美容等の数々の効果を得る目的でリラクゼーションやエステ等の店舗に導入されている。【０００５】
【特許文献１】特開平５−１０３７６５
【特許文献２】特開平８−１５４９８２
【特許文献３】実用新案登録第３１２０６５９号
【非特許文献１】高気圧・高濃度酸素セラピーシステム  イオ・Ｏ２クリスタルホームページ  ｈｔｔｐ：／／ｗｗｗ．ｓａｎｓｏ．ｃｃ
【考案の開示】
【考案が解決しようとする課題】
【０００６】  上記ナイロンや塩化ビニル素材で形成された高気圧・高濃度酸素カプセル内に利用者が入るためには、該高気圧・高濃度酸素カプセルの上部にあるファスナーを開閉して入ることになる。該ファスナーは、高気圧・高濃度酸素カプセル内の空気漏れを防止するため、当該高気圧・高濃度酸素カプセルの上部にある外部ファスナーと、上部内側に設けられた仕切りシートにある内部ファスナーの２個のファスナーにて構成されているが、該ファスナーの端部及び接合部より僅かに空気漏れが発生してしまうという問題点があった。このため、濃縮酸素供給器の運転効率が低下してしまうという問題点があった。【０００７】  上記問題点を解決すべく、本願出願人による実用新案登録第３１２０６５９号において、空気を注入して膨張させることができるチューブ体を高気圧・高濃度酸素カプセルの外部ファスナーの底面部及び内部ファスナーの上面部を包囲することができるように長尺輪状に形成すると共に前記長尺輪状内側面に隔壁膜を形成して構成した空気漏れ防止具を提案して好結果が得られているが、更なる気密性の向上が求められていた。【０００８】  本考案は、上記要求を解決するために成されたものであり、空気中の酸素濃度及び気圧を高めたカプセル空間内でくつろぐことにより心身のリラクゼーション効果，疲労回復，ダイエット効果，美容等の数々の効果を得ることができる高気圧・高濃度酸素カプセルの開閉部のファスナーにおける空気漏れを確実に防止することができる、高気圧・高濃度酸素カプセル用空気漏れ防止具を提供することを目的とする。
【課題を解決するための手段】
【０００９】  上記課題を解決するため、本考案の高気圧・高濃度酸素カプセル用空気漏れ防止具の第一考案は、空気を注入して膨張させることができるチューブ体を外部ファスナーの底面部及び内部ファスナーの上面部を包囲することができるように長尺輪状に形成した外側チューブ体と、前記外部ファスナーの底面部及び内部ファスナーの上面部を押圧することができるように長尺状に形成した内側チューブ体を前記外側チューブ体の内側面に独立形成して構成する。そして、該高気圧・高濃度酸素カプセル用空気漏れ防止具を、高気圧・高濃度酸素カプセルの上部内側に設けられた仕切りシート上において外部ファスナーの底面部及び内部ファスナーの上面部を包囲且つ押圧することができる位置に着脱自在に係着する。【００１０】  また、本考案の高気圧・高濃度酸素カプセル用空気漏れ防止具の第二考案は、空気を注入して膨張させることができるチューブ体を外部ファスナーの底面部及び内部ファスナーの上面部を包囲且つ押圧することができるように長円平板状に形成した平チューブ体と、該平チューブ体に空気を注入して形成される空気室を平板状に維持するための合成発泡樹脂体を当該平チューブ体内に支持形成して構成する。そして、該高気圧・高濃度酸素カプセル用空気漏れ防止具を、高気圧・高濃度酸素カプセルの上部内側に設けられた仕切りシート上において外部ファスナーの底面部及び内部ファスナーの上面部を包囲且つ押圧することができる位置に着脱自在に係着する。
【考案の効果】
【００１１】  本考案の高気圧・高濃度酸素カプセル用空気漏れ防止具を使用すれば、高気圧・高濃度酸素カプセルの内面上部と仕切りシートとが高気圧・高濃度酸素カプセル用空気漏れ防止具の第一考案における外側チューブ体又は第二考案における平チューブ体の外周部表面と当接して密着し、更に外部ファスナーの底面部及び内部ファスナーの上面部とが高気圧・高濃度酸素カプセル用空気漏れ防止具の第一考案における内側チューブ体又は第二考案における平チューブ体の内側表面と当接して密着されるため、開閉部であるファスナーでの空気漏れを二重に防止して更なる気密性の向上が図られるという絶大なる効果を奏することができる。このため、濃縮酸素供給器の運転効率の低下が無くなるという効果を奏することができる。
【考案を実施するための最良の形態】
【００１２】  本考案を実施するための最良の形態を図を用いて説明する。【００１３】  図３は本考案の高気圧・高濃度酸素カプセル用空気漏れ防止具の第一考案の外形図であり、（ａ）は正面図，（ｂ）は側面図である。また、図６は図３におけるＢ−Ｂ断面図である。両図に示すように、高気圧・高濃度酸素カプセル用空気漏れ防止具８は、空気を注入して膨張させることができるチューブ体を高気圧・高濃度酸素カプセルの外部ファスナーの底面部及び内部ファスナーの上面部を包囲することができるように長尺輪状に形成した外側チューブ体９と、前記外部ファスナーの底面部及び内部ファスナーの上面部を押圧することができるように長尺状に形成した内側チューブ体１０を前記外側チューブ９体の内側面に独立形成して構成する。また、外側チューブ体９に空気を注入するための空気注入口１５ａと内側チューブ体１０に空気を注入するための空気注入口１５ｂを、前記各チューブ体の任意の一箇所に挿着する。【００１４】  図５は本考案の高気圧・高濃度酸素カプセル用空気漏れ防止具の第二考案の外形図であり、（ａ）は正面図，（ｂ）は側面図である。また、図７は図５におけるＢ−Ｂ断面図である。両図に示すように、高気圧・高濃度酸素カプセル用空気漏れ防止具８は、空気を注入して膨張させることができるチューブ体を外部ファスナーの底面部及び内部ファスナーの上面部を包囲且つ押圧することができるように長円平板状に形成した平チューブ体１１と、該平チューブ体１１に空気を注入して形成される空気室１６ｃを平板状に維持するための合成発泡樹脂体１２を当該平チューブ体１１内に支持形成して構成する。また、平チューブ体１１に空気を注入するための空気注入口１５ｃを、前記平チューブ体１１の任意の一箇所に挿着する。【００１５】  また、上記高気圧・高濃度酸素カプセル用空気漏れ防止具８の長辺方向の片側に、第一考案における外側チューブ体９又は第二考案における平チューブ体１１と略等しい幅を有した保持シート１３を添設すると共に、該保持シート１３の長辺方向の数箇所にホック１４を固設する。更に、高気圧・高濃度酸素カプセルの上部内側に設けられた仕切りシート上において、外部ファスナーの底面部及び内部ファスナーの上面部を包囲且つ押圧することができる位置に前記高気圧・高濃度酸素カプセル用空気漏れ防止具８を着脱自在に係着するため、前記ホック１４と対向する位置に当該ホック１４と嵌合するホック１４ａを固着する。【００１６】  上記第一考案における外側チューブ体９及び内側チューブ体１０又は第二考案における平チューブ体１１並びに保持シート１３の材質は、高気圧・高濃度酸素カプセルと同様にナイロンや塩化ビニル素材が好適であるが、特に限定するものではない。また、ホック１４，１４ａの材質も特に限定するものではない。更には前記ホック１４，１４ａの構造も上記に限定するものではない。
【実施例】
【００１７】  本考案の実施例を図を用いて説明する。【００１８】  図１は本考案の高気圧・高濃度酸素カプセル用空気漏れ防止具の第一考案を具備した高気圧・高濃度酸素カプセルの外形図であり、（ａ）は側面図，（ｂ）は正面図である。また、図２は図１におけるＡ−Ａ断面図である。高気圧・高濃度酸素カプセル１の利用時において、高気圧・高濃度酸素カプセル用空気漏れ防止具８を当該高気圧・高濃度酸素カプセル１の上部内側に設けられた仕切りシート６上に係着する必要がある。このため、まず高気圧・高濃度酸素カプセル用空気漏れ防止具８に挿着された空気注入口１５ａより空気を注入して外側チューブ体９を膨張させて空気室１６ａを形成し，更に空気注入口１５ｂより空気を注入して内側チューブ体１０を膨張させて空気室１６ｂを形成する。次に高気圧・高濃度酸素カプセル用空気漏れ防止具８の長辺方向の片側に添設された保持シート１３上のホック１４を前記仕切りシート６上のホック１４ａと嵌合させて、高気圧・高濃度酸素カプセル用空気漏れ防止具８を仕切りシート６上に係着する。【００１９】  また、図４は図１において第二考案の空気漏れ防止具を具備した高気圧・高濃度酸素カプセルのＡ−Ａ断面図である。この場合も第一考案と同様であり、まず高気圧・高濃度酸素カプセル用空気漏れ防止具８に挿着された空気注入口１５ｃより空気を注入して平チューブ体１１を膨張させて空気室１６ｃを形成する。次に高気圧・高濃度酸素カプセル用空気漏れ防止具８の長辺方向の片側に添設された保持シート１３上のホック１４を前記仕切りシート６上のホック１４ａと嵌合させて、高気圧・高濃度酸素カプセル用空気漏れ防止具８を仕切りシート６上に係着する。【００２０】  図８は高気圧・高濃度酸素カプセルの使用状態図であり、高気圧・高濃度酸素カプセル１を使用するためには、まずカプセル台１８の上に高気圧・高濃度酸素カプセル１を設置する。該カプセル台１８の上で高気圧・高濃度酸素カプセル１を安定させるため、当該高気圧・高濃度酸素カプセル１の底部には底板３が内設されている。また、高気圧・高濃度酸素カプセル１内の底部にはマット２を敷設する。該高気圧・高濃度酸素カプセル１の先端面及び後端面には空気供給／排気バルブ４が固設され、何れか一方の空気供給／排気バルブ４に濃縮酸素供給チューブ２０を接続する。更に、該濃縮酸素供給チューブ２０の他端側を濃縮酸素供給器１９と接続したコントロールボックス２１に接続する。次に高気圧・高濃度酸素カプセル１内に利用者が入り、前記コントロールボックス２１にて圧力監視を行いながら高濃度酸素を濃縮酸素供給チューブ２０を経由して高気圧・高濃度酸素カプセル１内に注入する。なお、利用者の状態を確認するための窓１７が高気圧・高濃度酸素カプセル１の一端側両側面に具備される。【００２１】  高気圧・高濃度酸素カプセル１内に高気圧・高濃度酸素が十分注入されると、高気圧・高濃度酸素カプセル１及び仕切りシート６が外側に膨張する。該状態において、高気圧・高濃度酸素カプセル１の内面上部と仕切りシート６とが高気圧・高濃度酸素カプセル用空気漏れ防止具８の第一考案における外側チューブ体９又は第二考案における平チューブ体１１の外周部表面と当接��て密着し、更に外部ファスナー５の底面部及び内部ファスナー７の上面部とが高気圧・高濃度酸素カプセル用空気漏れ防止具８の第一考案における内側チューブ体１０又は第二考案における平チューブ体１１の内側表面と当接して密着されるため、開閉部であるファスナーでの空気漏れを二重に防止して更なる気密性向上が図られる。なお、仕切りシート６上に係着した高気圧・高濃度酸素カプセル用空気漏れ防止具８の係着位置に多少のずれや変形があったとしても、第一考案における空気室１６ａ，１６ｂ又は第二考案における空気室１６ｃの弾力性により、それらの影響を吸収することができる。従って、濃縮酸素供給器１９より効率よく高濃度酸素を高気圧・高濃度酸素カプセル１内に供給することができる。【００２２】  なお、上記説明においてはナイロンや塩化ビニル素材で形成された高気圧・高濃度酸素カプセル１における開閉部の空気漏れを防止するための高気圧・高濃度酸素カプセル用空気漏れ防止具８について説明したが、異なる形状や構造を有した高気圧・高濃度酸素カプセルにおける開閉部の空気漏れを防止する場合においても同様の構成にすることにより使用することができるものである。
【図面の簡単な説明】
【００２３】
【図１】本考案の高気圧・高濃度酸素カプセル用空気漏れ防止具の第一考案を具備した高気圧・高濃度酸素カプセルの外形図である。
【図２】図１におけるＡ−Ａ断面図である。
【図３】本考案の高気圧・高濃度酸素カプセル用空気漏れ防止具の第一考案の外形図である。
【図４】図１において第二考案の空気漏れ防止具を具備した高気圧・高濃度酸素カプセルのＡ−Ａ断面図である。
【図５】本考案の高気圧・高濃度酸素カプセル用空気漏れ防止具の第二考案の外形図である。
【図６】図３におけるＢ−Ｂ断面図である。
【図７】図５におけるＢ−Ｂ断面図である。
【図８】高気圧・高濃度酸素カプセルの使用状態図である。
【符号の説明】
【００２４】１  高気圧・高濃度酸素カプセル
２  マット
３  底板
４  空気供給／排気バルブ
５  外部ファスナー
６  仕切りシート
７  内部ファスナー
８  空気漏れ防止具
９  外側チューブ体
１０  内側チューブ体
１１  平チューブ体
１２  合成発泡樹脂体
１３  保持シート
１４  ホック
１５ａ，１５ｂ，１５ｃ  空気注入口
１６ａ，１６ｂ，１６ｃ  空気室
１７  窓
１８  カプセル台
１９  濃縮酸素供給器
２０  濃縮酸素供給チューブ
２１  コントロールボックス
【図１】
0003125417.tif 000003
【図２】
0003125417.tif 000004
【図３】
0003125417.tif 000005
【図４】
0003125417.tif 000006
【図５】
0003125417.tif 000007
【図６】
0003125417.tif 000008
【図７】
0003125417.tif 000009
【図８】
0003125417.tif 000010